(57)【要約】  搬送方向に沿って搬送される連続ウエブと、液体吸収性粒状物を主材として前記連続ウエブの片面に前記搬送方向に間隔をおいて所定の積層パターンで形成された複数の吸収体と、を有する吸収性シート状部材に、前記液体吸収性粒状物が前記積層パターンで積層されているか否かを検査する検査装置である。前記吸収性シート状部材のうちで前記吸収体が存在すべき領域を前記吸収性シート状部材の片面側から撮像して、前記領域の平面画像のデータを、前記吸収体の前記平面画像に関するデータとして生成する撮像処理部と、生成された前記平面画像データを、閾値に基づいて二値化処理することにより、前記平面画像のうちで、規定の坪量以上の前記液体吸収性粒状物が撮像されている領域を、適量領域として抽出する抽出処理部と、前記適量領域の大きさを示す値に基づいて、前記吸収体の良否判定を行う良否判定処理部と、を有する。
2014525274.tif 000002
【特許請求の範囲】
【請求項１】
搬送方向に沿って搬送される連続ウエブと、液体吸収性粒状物を主材として前記連続ウエブの片面に前記搬送方向に間隔をおいて形成された複数の吸収体と、を有する吸収性シート状部材に、前記液体吸収性粒状物が所定の積層パターンで積層されているか否かを検査する検査装置であって、
前記吸収性シート状部材のうちで前記吸収体が存在すべき領域を前記吸収性シート状部材の片面側から撮像して、前記領域の平面画像のデータを、前記吸収体の前記平面画像に関するデータとして生成する撮像処理部と、
生成された前記平面画像データを、閾値に基づいて二値化処理することにより、前記平面画像のうちで、規定の坪量以上の前記液体吸収性粒状物が撮像されている領域を、適量領域として抽出する抽出処理部と、
前記適量領域の大きさを示す値に基づいて、前記吸収体の良否判定を行う良否判定処理部と、を有することを特徴とする吸収性物品に係る吸収性シート状部材の検査装置。
【請求項２】
請求項１に記載の吸収性物品に係る吸収性シート状部材の検査装置であって、
前記吸収性シート状部材には、前記吸収体毎に、前記積層パターンに基づいて、前記液体吸収性粒状物が存在すべき複数の領域が粒状物積層目標領域として島状に離散的に設定されており、
前記抽出処理部は、前記粒状物積層目標領域の輪郭形状に実質上対応する輪郭形状の検査ウインドウを、前記複数のうちの少なくとも幾つかの粒状物積層目標領域に対しては前記粒状物積層目標領域毎に設定し、前記検査ウインドウ毎に前記適量領域を抽出し、
前記良否判定処理部は、前記検査ウインドウ毎に抽出された前記適量領域の大きさを示す値に基づいて、前記吸収体の良否判定を行うことを特徴とする吸収性物品に係る吸収性シート状部材の検査装置。
【請求項３】
請求項２に記載の吸収性物品に係る吸収性シート状部材の検査装置であって、
前記抽出処理部は、前記粒状物積層目標領域の輪郭形状に実質上対応する輪郭形状の検査ウインドウを、前記粒状物積層目標領域毎に設定し、前記検査ウインドウ毎に前記適量領域を抽出し、
前記良否判定処理部は、前記検査ウインドウ毎に抽出された前記適量領域の大きさを示す値に基づいて、前記吸収体の良否判定を行うことを特徴とする吸収性物品に係る吸収性シート状部材の検査装置。
【請求項４】
請求項１乃至３の何れかに記載の吸収性物品に係る吸収性シート状部材の検査装置であって、
前記抽出処理部は、前記閾値として、色相と明度と彩度とのうちの少なくとも１つについての数値を有し、
前記抽出処理部は、前記平面画像データを、前記閾値に基づいて二値化処理することにより、前記平面画像から前記適量領域を抽出することを特徴とする吸収性物品に係る吸収性シート状部材の検査装置。
【請求項５】
請求項４に記載の吸収性物品に係る吸収性シート状部材の検査装置であって、
前記平面画像データは、グレースケールのデータであることを特徴とする吸収性物品に係る吸収性シート状部材の検査装置。
【請求項６】
請求項４又は５に記載の吸収性物品に係る吸収性シート状部材の検査装置であって、
前記抽出処理部は、前記閾値として明度についての数値を有することを特徴とする吸収性物品に係る吸収性シート状部材の検査装置。
【請求項７】
請求項１乃至３の何れかに記載の吸収性物品に係る吸収性シート状部材の検査装置であって、
前記平面画像データは、カラー画像データであり、
前記抽出処理部は、前記閾値として、色相と明度と彩度とのそれぞれについて数値範囲を有し、
前記抽出処理部は、前記平面画像データを、前記閾値に基づいてカラー二値化処理することにより、前記平面画像から前記適量領域を抽出することを特徴とする吸収性物品に係る吸収性シート状部材の検査装置。
【請求項８】
請求項７に記載の吸収性物品に係る吸収性シート状部材の検査装置であって、
前記吸収性シート状部材は、前記連続ウエブとで、前記吸収体を厚み方向から挟むように重ね合わされた別の連続ウエブを有し、
前記連続ウエブ同士は、前記粒状物積層目標領域以外の領域において、少なくとも部分的に一体に接合されており、前記領域での接合によって、前記液体吸収性粒状物は、前記連続ウエブ同士の間に封入されていることを特徴とする吸収性物品に係る吸収性シート状部材の検査装置。
【請求項９】
請求項８に記載の吸収性物品に係る吸収性シート状部材の検査装置であって、
前記連続ウエブ、前記別の連続ウエブ、及び前記液体吸収性粒状物を含む群の何れかは、白色以外の色に着色されており、
前記撮像処理部は、前記吸収性シート状部材のうちで前記吸収体が存在すべき前記領域からの反射光を受光して、前記領域を撮像することを特徴とする吸収性物品に係る吸収性シート状部材の検査装置。
【請求項１０】
請求項１乃至９の何れか一つに記載の吸収性物品に係る吸収性シート状部材の検査装置であって、
前記吸収体毎に前記平面画像の撮像を行うことにより、前記吸収体毎に前記平面画像データを生成することを特徴とする吸収性物品に係る吸収性シート状部材の検査装置。
【請求項１１】
搬送方向に沿って搬送される連続ウエブと、液体吸収性粒状物を主材として前記連続ウエブの片面に前記搬送方向に間隔をおいて形成された複数の吸収体と、を有する吸収性シート状部材に、前記液体吸収性粒状物が所定の積層パターンで積層されているか否かを検査する検査方法であって、
前記吸収性シート状部材のうちで前記吸収体が存在すべき領域を前記吸収性シート状部材のうちの片面側から撮像して、前記領域の平面画像に関するデータを、前記吸収体の平面画像データとして生成することと、
生成された前記平面画像データを、閾値に基づいて二値化処理することにより、前記平面画像のうちで、規定の坪量以上の前記液体吸収性粒状物が撮像されている領域を、適量領域として抽出することと、
前記適量領域の大きさを示す値に基づいて、前記吸収体の良否判定を行うことと、を有することを特徴とする吸収性物品に係る吸収性シート状部材の検査方法。
【発明の詳細な説明】
【技術分野】
【０００１】
本発明は、使い捨ておむつ等の吸収性物品に係る吸収性シート状部材の検査装置、及び検査方法に関する。
【背景技術】
【０００２】
排泄液等の液体を吸収する吸収性物品の一例として使い捨ておむつや尿取りパッド等が知られている。これらの吸収性物品は、通常、パルプ繊維等の液体吸収性繊維を所定形状に成形してなる吸収体を備えている。しかし、最近では、液体吸収性繊維を用いずに、あるいは仮に用いたとしても補助的に用い、吸収体の主材には、粒状の高吸収性ポリマー（以下、ＳＡＰとも言う）を用いる場合がある。
【０００３】
そのような吸収体を製造する装置の一例が、特許文献１に開示されている。この装置では、搬送方向に搬送される連続ウエブ上にＳＡＰを間隔をおいて落下して積層することで、吸収体を搬送方向に所定ピッチで形成する。
【０００４】
一方、特許文献２には、パルプ繊維を主材とする吸収体上に間隔をおいて散布されたＳＡＰの量を計測する方法が開示されている。詳しくは、吸収体の搬送方向の所定位置に、静電容量式センサーを設け、その下方を吸収体が通過する際の静電容量の変化に基づいて、ＳＡＰの搬送方向の量の分布を計測するようになっている。
【先行技術文献】
【特許文献】
【０００５】
【特許文献１】特開昭６３−２８３７７７号
【特許文献２】特開２００８−１５４９６４号
【発明の概要】
【発明が解決しようとする課題】
【０００６】
ところで、前述したようにＳＡＰを主材として吸収体を構成する場合には、その吸収性能は、当然ながらほぼＳＡＰで決まる。そのため、ＳＡＰが搬送方向及び幅方向のどちらかに意図せずに大きく偏った分布で積層していると、着用時に吸液すべき部位で吸液できずに、その吸収性物品が本来発揮すべき機能を大きく損ねてしまう。また、ＳＡＰが存在していたとしても、計画値よりも極端に少ない坪量（ｇ／ｍ２）で存在している部位では、計画通りの吸収性能を発揮できない。
【０００７】
よって、品質管理の観点からは、ＳＡＰが存在すべき対象領域に対して、搬送方向及び幅方向の両方向の略全域に亘りＳＡＰが規定の坪量以上で存在しているか否かを確認するのが望ましく、そのようなことが可能な検査装置や検査方法が待望されていた。
【０００８】
しかしながら、従来技術たる上述の特許文献２の計測方法では、搬送方向のＳＡＰの量の分布については計測できるが、搬送方向と直交する幅方向の分布については計測できず、よって、上述の要望に応えることができない。
【０００９】
本発明は、上記のような従来の問題に鑑みてなされたものであって、その目的は、搬送方向に沿って搬送される連続ウエブと、連続ウエブの片面に液体吸収性粒状物を主材として搬送方向に間隔をおいて形成された複数の吸収体と、を有する吸収性シート状部材の検査装置及び検査方法において、液体吸収性粒状物が所定の積層パターンの所定域に亘って規定の坪量以上で積層されているか否かを判定できるようにすることにある。
【課題を解決するための手段】
【００１０】
上記目的を達成するための主たる発明は、
搬送方向に沿って搬送される連続ウエブと、液体吸収性粒状物を主材として前記連続ウエブの片面に前記搬送方向に間隔をおいて形成された複数の吸収体と、を有する吸収性シート状部材に、前記液体吸収性粒状物が所定の積層パターンで積層されているか否かを検査する検査装置であって、
前記吸収性シート状部材のうちで前記吸収体が存在すべき領域を前記吸収性シート状部材の片面側から撮像して、前記領域の平面画像のデータを、前記吸収体の前記平面画像に関するデータとして生成する撮像処理部と、
生成された前記平面画像データを、閾値に基づいて二値化処理することにより、前記平面画像のうちで、規定の坪量以上の前記液体吸収性粒状物が撮像されている領域を、適量領域として抽出する抽出処理部と、
前記適量領域の大きさを示す値に基づいて、前記吸収体の良否判定を行う良否判定処理部と、を有することを特徴とする吸収性物品に係る吸収性シート状部材の検査装置である。
【００１１】
また、
搬送方向に沿って搬送される連続ウエブと、液体吸収性粒状物を主材として前記連続ウエブの片面に前記搬送方向に間隔をおいて形成された複数の吸収体と、を有する吸収性シート状部材に、前記液体吸収性粒状物が所定の積層パターンで積層されているか否かを検査する検査方法であって、
前記吸収性シート状部材のうちで前記吸収体が存在すべき領域を前記吸収性シート状部材のうちの片面側から撮像して、前記領域の平面画像に関するデータを、前記吸収体の平面画像データとして生成することと、
生成された前記平面画像データを、閾値に基づいて二値化処理することにより、前記平面画像のうちで、規定の坪量以上の前記液体吸収性粒状物が撮像されている領域を、適量領域として抽出することと、
前記適量領域の大きさを示す値に基づいて、前記吸収体の良否判定を行うことと、を有することを特徴とする吸収性物品に係る吸収性シート状部材の検査方法である。
【００１２】
本発明の他の特徴については、本明細書及び添付図面の記載により明らかにする。
【発明の効果】
【００１３】
本発明によれば、液体吸収性粒状物が積層パターンの所定域に亘って規定の坪量以上で積層されているか否かを判定可能になる。
【図面の簡単な説明】
【００１４】
【図１】本実施形態の検査装置５０の概略側面図である。
【図２】図２Ａは、同検査装置５０が検査する吸収性シート状部材１の概略平面図であり、図２Ｂは、図２Ａ中のＢ−Ｂ断面図である。
【図３】積層パターンＰＴが規定された吸収性シート状部材１の単票状製品１Ｕの設計図である。
【図４】回転ドラム装置２０が具備する回転ドラム２２の概略斜視図である。
【図５】ＣＣＤカメラ５２で撮像された吸収性シート状部材１の平面画像の説明図である。
【図６】図６Ａは、二値化処理前の平面画像であり、図６Ｂは、同平面画像に対して二値化処理を行った後の状態、つまりＳＡＰ適量領域を抽出後の状態を示す図である。
【図７】図７Ａは、検査ウインドウＷａ，Ｗｂ，Ｗｃ，Ｗｄ，Ｗｅの一例の説明図であり、図７Ｂは、検査ウインドウＷａ，Ｗｂ，Ｗｃ，Ｗｆの他の例の説明図である。
【発明を実施するための形態】
【００１５】
本明細書及び添付図面の記載により、少なくとも以下の事項が明らかとなる。
【００１６】
搬送方向に沿って搬送される連続ウエブと、液体吸収性粒状物を主材として前記連続ウエブの片面に前記搬送方向に間隔をおいて形成された複数の吸収体と、を有する吸収性シート状部材に、前記液体吸収性粒状物が所定の積層パターンで積層されているか否かを検査する検査装置であって、
前記吸収性シート状部材のうちで前記吸収体が存在すべき領域を前記吸収性シート状部材の片面側から撮像して、前記領域の平面画像のデータを、前記吸収体の前記平面画像に関するデータとして生成する撮像処理部と、
生成された前記平面画像データを、閾値に基づいて二値化処理することにより、前記平面画像のうちで、規定の坪量以上の前記液体吸収性粒状物が撮像されている領域を、適量領域として抽出する抽出処理部と、
前記適量領域の大きさを示す値に基づいて、前記吸収体の良否判定を行う良否判定処理部と、を有することを特徴とする吸収性物品に係る吸収性シート状部材の検査装置。
【００１７】
このような吸収性物品に係る吸収性シート状部材の検査装置によれば、撮像生成された吸収体の平面画像データを閾値で二値化処理することにより、規定の坪量以上の前記液体吸収性粒状物が撮像されている領域を適量領域として抽出し、その抽出された適量領域の大きさを示す値、例えば面積に基づいて吸収体の良否判定を行う。よって、吸収体の積層パターンが規定する液体吸収性粒状物が存在すべき領域の所定域に亘って、液体吸収性粒状物が規定の坪量以上で積層されているか否かを判定可能となる。
【００１８】
かかる吸収性物品に係る吸収性シート状部材の検査装置であって、
前記吸収性シート状部材には、前記吸収体毎に、前記積層パターンに基づいて、前記液体吸収性粒状物が存在すべき複数の領域が粒状物積層目標領域として島状に離散的に設定されており、
前記抽出処理部は、前記粒状物積層目標領域の輪郭形状に実質上対応する輪郭形状の検査ウインドウを、前記複数のうちの少なくとも幾つかの粒状物積層目標領域に対応する前記粒状物積層目標領域毎に設定し、前記検査ウインドウ毎に前記適量領域を抽出し、
前記良否判定処理部は、前記検査ウインドウ毎に抽出された前記適量領域の大きさを示す値に基づいて、前記吸収体の良否判定を行うのが望ましい。
【００１９】
このような吸収性物品に係る吸収性シート状部材の検査装置によれば、粒状物積層目標領域、つまり液体吸収性粒状物が存在すべき領域の輪郭形状に実質上対応する輪郭形状の検査ウインドウを、複数のうちの幾つかの粒状物積層目標領域に対しては前記粒状物積層目標領域毎に設定し、検査ウインドウ毎に、規定の坪量以上の液体吸収性粒状物が撮像されている領域たる適量領域を抽出する。つまり、複数のうちの幾つかの粒状物積層目標領域に対しては、粒状物積層目標領域毎に適量領域を抽出する。そして、抽出された各適量領域の大きさを示す値に基づいて、吸収体の良否判定を行う。よって、積層状態の偏りの有無を、吸収体の良否判定に反映させることができて、これにより、積層パターンの所定域に亘って規定の坪量以上でＳＡＰが積層されているか否かの判定をより正確に行うことができる。
【００２０】
かかる吸収性物品に係る吸収性シート状部材の検査装置であって、
前記抽出処理部は、前記粒状物積層目標領域の輪郭形状に実質上対応する輪郭形状の検査ウインドウを、前記粒状物積層目標領域毎に設定し、前記検査ウインドウ毎に前記適量領域を抽出し、
前記良否判定処理部は、前記検査ウインドウ毎に抽出された前記適量領域の大きさを示す値に基づいて、前記吸収体の良否判定を行うのが望ましい。
【００２１】
このような吸収性物品に係る吸収性シート状部材の検査装置によれば、粒状物積層目標領域の輪郭形状に実質上対応する輪郭形状の検査ウインドウを、上記粒状物積層目標領域毎に設定し、検査ウインドウ毎に、規定の坪量以上の前記液体吸収性粒状物が撮像されている領域たる適量領域を抽出する。つまり、全ての粒状物積層目標領域に対して、粒状物積層目標領域毎に適量領域を抽出する。そして、抽出された各適量領域の大きさを示す値に基づいて、吸収体の良否判定を行う。よって、積層状態の偏りの有無を、吸収体の良否判定に反映させることができて、これにより、積層パターンの所定域に亘って規定の坪量以上でＳＡＰが積層されているか否かの判定をより一層正確に行うことができる。
【００２２】
かかる吸収性シート状部材の検査装置であって、
前記抽出処理部は、前記閾値として、色相と明度と彩度とのうちの少なくとも１つについての数値を有し、
前記抽出処理部は、前記平面画像データを、前記閾値に基づいて二値化処理することにより、前記平面画像から前記適量領域を抽出するのが望ましい。
【００２３】
このような吸収性物品に係る吸収性シート状部材の検査装置によれば、二値化処理に用いる閾値として色相、明度、及び彩度のうちの少なくとも１つの数値を有するので、規定の坪量以上の液体吸収性粒状物が撮像されている領域を確実に抽出することができる。
【００２４】
かかる吸収性物品に係る吸収性シート状部材の検査装置であって、
前記平面画像データは、グレースケールのデータであるのが望ましい。
【００２５】
このような吸収性物品に係る吸収性シート状部材の検査装置によれば、二値化処理に用いる平面画像データは、グレースケールのデータであるので、データ量を少なくできる。その結果、二値化処理に際して平面画像データを記憶する場合に、小容量のメモリでも対応可能であり、検査装置を安価にできる。
【００２６】
かかる前記抽出処理部は、前記閾値として明度についての数値を有するのが望ましい。
【００２７】
このような吸収性物品に係る吸収性シート状部材の検査装置によれば、閾値として明度についての数値を有する。よって、グレースケールの平面画像データから、規定の坪量以上の液体吸収性粒状物が撮像されている領域を円滑に抽出することができる。
【００２８】
かかる吸収性物品に係る吸収性シート状部材の検査装置であって、
前記平面画像データは、カラー画像データであり、
前記抽出処理部は、前記閾値として、色相と明度と彩度とのそれぞれについて数値範囲を有し、
前記抽出処理部は、前記平面画像データを、前記閾値に基づいてカラー二値化処理することにより、前記平面画像から前記適量領域を抽出するのが望ましい。
【００２９】
このような吸収性物品に係る吸収性シート状部材の検査装置によれば、カラー二値化処理に用いる閾値に係る色相と明度と彩度とのそれぞれの数値範囲を、液体吸収性粒状物が存在する領域を撮像処理部側から見た際の固有の色（規定の坪量以上の液体吸収性粒状物が撮像されている領域に固有の色）に対応させて設定することができる。そして、これにより、液体吸収性粒状物が存在する適量領域の抽出精度の向上を図れる。
【００３０】
かかる吸収性物品に係る吸収性シート状部材の検査装置であって、
前記吸収性シート状部材は、前記連続ウエブとで、前記吸収体を厚み方向から挟むように重ね合わされた別の連続ウエブを有し、
前記連続ウエブ同士は、前記粒状物積層目標領域以外の領域において、少なくとも部分的に一体に接合されており、前記領域での接合によって、前記液体吸収性粒状物は、前記連続ウエブ同士の間に封入されているのが望ましい。
【００３１】
このような吸収性物品に係る吸収性シート状部材の検査装置によれば、液体吸収性粒状物が封入されて同粒状物の漏出防止性に優れた吸収性シート状部材についても、有効に検査可能となる。連続ウエブ同士は粒状積層目標領域毎の周りに一体に接合されても良く、この接合は部分的又は全体的であっても良い。
【００３２】
かかる吸収性物品に係る吸収性シート状部材の検査装置であって、
前記連続ウエブ、前記別の連続ウエブ、及び前記液体吸収性粒状物を含む群の何れかは、白色以外の色に着色されており、
前記撮像処理部は、前記吸収性シート状部材のうちで前記吸収体が存在すべき前記領域からの反射光を受光して、前記領域を撮像するのが望ましい。
【００３３】
このような吸収性物品に係る吸収性シート状部材の検査装置によれば、連続ウエブ、別の連続ウエブ、及び液体吸収性粒状物の少なくとも何れか一つは、白色以外の色に着色されても良いが、この場合であっても、カラー二値化処理の閾値に係る色相、明度、及び彩度の各数値範囲の設定により、規定の坪量以上の液体吸収性粒状物が撮像されている領域を何等問題なく抽出することができる。
【００３４】
かかる吸収性物品に係る吸収性シート状部材の検査装置であって、
前記吸収体毎に前記平面画像の撮像を行うことにより、前記吸収体毎に前記平面画像データを生成するのが望ましい。
【００３５】
このような吸収性物品に係る吸収性シート状部材の検査装置によれば、吸収体毎に平面画像データを生成するので、全ての吸収体が検査対象となる。つまり全数検査が行われ、その結果、品質管理の管理精度の向上を図れる。
【００３６】
また、
搬送方向に沿って搬送される連続ウエブと、液体吸収性粒状物を主材として前記連続ウエブの片面に前記搬送方向に間隔をおいて形成された複数の吸収体と、を有する吸収性シート状部材に、前記液体吸収性粒状物が所定の積層パターンで積層されているか否かを検査する検査方法であって、
前記吸収性シート状部材のうちで前記吸収体が存在すべき領域を前記吸収性シート状部材のうちの片面側から撮像して、前記領域の平面画像に関するデータを、前記吸収体の平面画像データとして生成することと、
生成された前記平面画像データを、閾値に基づいて二値化処理することにより、前記平面画像のうちで、規定の坪量以上の前記液体吸収性粒状物が撮像されている領域を、適量領域として抽出することと、
前記適量領域の大きさを示す値に基づいて、前記吸収体の良否判定を行うことと、を有することを特徴とする吸収性物品に係る吸収性シート状部材の検査方法。
【００３７】
このような吸収性物品に係る吸収性シート状部材の検査方法によれば、撮像生成された吸収体の平面画像データを閾値で二値化処理することにより、規定の坪量以上の前記液体吸収性粒状物が撮像されている領域を適量領域として抽出し、その抽出された適量領域の大きさを示す値、例えば面積に基づいて吸収体の良否判定を行う。よって、吸収体の積層パターンが規定する液体吸収性粒状物が存在すべき領域の所定域に亘って、液体吸収性粒状物が規定の坪量以上で積層されているか否かを判定可能となる。
【００３８】
＝＝＝本実施形態＝＝＝
図１は、本実施形態の検査装置５０の概略側面図である。また、図２Ａは、同検査装置５０が検査する吸収性シート状部材１の概略平面図であり、図２Ｂは、図２Ａ中のＢ−Ｂ断面図である。なお、図１では一部の構成を縦断面視で示している。
【００３９】
この検査装置５０は、例えば、使い捨ておむつや尿取りパッドの一部品として供される吸収性シート状部材１を検査する装置である。すなわち、図１に示すように、同検査装置５０は、吸収性シート状部材１の製造装置１０の下流側に配置されており、同製造装置１０から送り出される吸収性シート状部材１に対して吸収体３に係るＳＡＰの積層分布（積層状態）を吸収体３毎に検査する。そして、図２Ａに示すように、各吸収体３に相応する吸収性シート状部材１の単位１Ｕ、つまり単票状製品１Ｕに相当する吸収性シート部材１の単位１Ｕ毎に、検査結果情報として良品情報及び不良品情報のどちらかを対応付ける。そして、当該検査結果情報は、下工程において不良品を製造ライン外に排出する処理などに供される。
【００４０】
＜＜＜吸収性シート状部材１について＞＞＞
吸収性シート状部材１の単票状製品１Ｕの平面形状は、図２Ａに示すように、この例では、長手方向と幅方向とを有した略矩形状をなしている。また、図２Ｂに示すように、この例では、厚み方向については略三層構造になっている。より詳しくは、液体を吸収する吸収体３を、人体側（即ち、排泄物を吸収するために人体の股下領域に隣接して置かれる側）たる表面側から表面ウエブ５で覆うとともに、その逆側たる裏面側からは裏面ウエブ７で覆っている。そして、これら表面ウエブ５及び裏面ウエブ７の間に吸収体３を挟んだ状態において、これら両ウエブ５，７は、少なくとも吸収体３の外周縁よりも外方にはみ出した部分にて接合され、これにより、吸収性シート状部材１の単票状製品１Ｕは一体物として形成されている。
【００４１】
表面ウエブ５及び裏面ウエブ７は、液透過性の適宜なウエブであり、例えば合成繊維等からなる１０〜５０（ｇ／ｍ２）の坪量の不織布である。合成繊維としては、ポリエチレンやポリエチレンテレフタレート等の鞘芯構造の複合繊維や単独繊維等が挙げられる。なお、裏面ウエブ７は、液不透過性のウエブであっても良い。
【００４２】
吸収体３は、液体吸収性粒状物の一例としての好ましくは１００〜８００ミクロンの粒径の多数の高吸収性ポリマー（以下ＳＡＰとも言う）の粒を主材とし、これらＳＡＰの粒が例えば１００〜５００（ｇ／ｍ２）の坪量で積層されてなる。ＳＡＰは、水溶性高分子が適度に架橋された三次元網目構造を有する吸収性高分子ポリマーである。そして、水を吸収する前の体積の数百倍から千倍の水を吸収するが、基本的には水不溶性であり、一旦吸収された水は多少の圧力を加えても離水しない。かかるＳＡＰの種類には、デンプン系、アクリル酸系、アミノ酸系などがあり、商品の一例としては、ＵＧ−８４０Ｄ（商品名：住友精化（株）製）等が挙げられる。また、この例では、吸収体３をＳＡＰのみで構成しているが、補助吸収材としてパルプ繊維等の液体吸収性繊維を混入しても良い。ちなみに、主材とは、吸収体３を構成する材種のなかで最も吸液量（体積量）の多い材種のことを言う。
【００４３】
図２Ａに示すように、吸収体３は、所定の積層パターンＰＴで離散的に区分された複数の島状の積層体３ａ，３ｂ，３ｃ，３ｄ，３ｅから構成される。図示例では、輪郭形状が平面視Ｖ字形の三つの積層体３ａ，３ｂ，３ｃが、互いの折れ曲がり部を吸収性シート状部材１の幅方向の中央位置に一直線上に並べつつ、Ｖ字のとんがり方向を長手方向の後方に向けて配されている。また、これら三つの積層体３ａ，３ｂ，３ｃよりも長手方向の後端寄りの位置には、折れ曲がり部が取り除かれて幅方向に分断された左右一対の積層体３ｄ，３ｅが配置される。これにより、吸収体３は合計５つの積層体３ａ〜３ｅから構成されている。そして、各積層体３ａ，３ｂ…３ｅは、自身に属するＳＡＰが他の積層体との間を行き来しないように、各積層体３ａ，３ｂ…３ｅを覆う表面ウエブ５の部分と裏面ウエブ７の部分とによって封入されている。すなわち、表面ウエブ５及び裏面ウエブ７のうちで積層体３ａ〜３ｅが無い部分Ｎにて、適宜、表面ウエブ５と裏面ウエブ７とは溶着等により接合されており、これにより、各積層体３ａ，３ｂ…３ｅは、それぞれ、自身を覆う表面ウエブ５の部分と裏面ウエブ７の部分とによって封じ込められている。なお、以下では、各積層体３ａ，３ｂ…３ｅを覆う表面ウエブ５の部分及び裏面ウエブ７の部分のことを「封入部ＥＮＣ」とも言い、また、表面ウエブ５及び裏面ウエブ７のうちで積層体３ａ〜３ｅが無い部分のことを「積層体不在部分Ｎ」とも言う。
【００４４】
更に、この例では、封入部ＥＮＣ内でのＳＡＰの粒の移動も抑制すべく、表面ウエブ５及び裏面ウエブ７の両者あるいはどちらか一方のウエブに対し、同ウエブのうちで積層体３ａ〜３ｅが積層形成されるべき領域に、ホットメルト接着剤等の接着剤を塗布しており、これにより、接着剤の塗布領域の近傍に位置するＳＡＰの粒については、その封入部ＥＮＣ内の移動が規制されるようになっている。
【００４５】
かかる吸収性シート部材１の単票状製品１Ｕは、例えばおむつや尿取りパッドの肌側面において着用者の臀部が当接する位置に選択的に配置される。そして、着用時には、各積層体３ａ，３ｂ…３ｅのＶ字形状などに基づいて、着用者の左右の臀部同士の間の隙間に各積層体３ａ，３ｂ…３ｅが密着し易くなり、その結果、尿などの液状排泄物の外部漏出は有効に防止される。
【００４６】
ちなみに、上述の積層パターンＰＴは、図３に示すような吸収性シート状部材１の単票状製品１Ｕの設計図に規定されている。つまり、積層パターンＰＴは、吸収性シート状部材１のうちで積層体３ａ〜３ｅが形成されるべき目標領域Ａａ，Ａｂ，Ａｃ，Ａｄ，Ａｅを示したものである。よって、以下では、積層パターンＰＴに基づいて積層体３ａ〜３ｅが形成されるべき領域Ａａ〜Ａｅ（謂わば理論上の領域）のことを「ＳＡＰ積層目標領域Ａａ〜Ａｅ」とも言う。
【００４７】
また、積層パターンＰＴは、５つのＳＡＰ積層目標領域Ａａ〜Ａｅに限定されることはなく、一つのみがあっても良く、二つ、三つ、又は四つあっても良く、五つであっても良い。ＳＡＰ積層目標領域Ａａ〜Ａｅは、あらゆる形であっても良く、従って本発明は本明細書に示してあり記載されている形に限定されない。例えば、ＳＡＰ積層目標領域Ａａ〜Ａｅは、長方形、楕円形、正方形、三角形等であっても良い。また、形は規則的又は不規則的であっても良い。
【００４８】
＜＜＜吸収性シート状部材１の製造装置１０について＞＞＞
図１に示すように、この吸収性シート状部材１の製造直後の時点では、吸収性シート状部材１は、未だ単票状製品１Ｕに分断されていない。つまり、吸収性シート状部材１は、搬送方向に製品ピッチＰ１で並ぶ各単票状製品１Ｕが一体に繋がってなる連続体の状態にある。また、製造装置１０の幅方向は、搬送方向に沿って搬送される連続シート状部材１の幅方向（図１中では紙面を貫通する方向）と平行であり、以下では、この幅方向のことを「ＣＤ方向」とも言う。ちなみにＣＤ方向は水平である。
【００４９】
製造装置１０は、回転ドラム装置２０と、ヒートシール装置４０とを有する。回転ドラム装置２０は、上述の積層パターンＰＴに基づいて、表面ウエブ５（連続ウエブに相当）と裏面ウエブ７（別の連続ウエブに相当）との間に吸収体３としてＳＡＰの積層体３ａ〜３ｅを形成する。ヒートシール装置４０は、表面ウエブ５と裏面ウエブ７とを積層体不在部分Ｎにて熱溶着で接合し、これにより、表面ウエブ５と裏面ウエブ７との間に各積層体３ａ，３ｂ…３ｅをそれぞれ封入する。そして、このようにして生成された吸収性シート状部材１は、搬送方向に連続した状態で、検査装置５０へ送られる。以下、回転ドラム装置２０及びヒートシール装置４０について説明する。
【００５０】
回転ドラム装置２０は、回転ドラム２２を有する。図４に回転ドラム２２の概略斜視図を示す。回転ドラム２２は、ＣＤ方向に沿った水平軸Ｃ２２周りに駆動回転する円筒部材を本体とする。そして、その外周面２２ａには、ＳＡＰを吸着により積層して吸収体３を成型するための成形型２４，２４…が、回転ドラム２２の周方向Ｄｃに所定ピッチで設けられている。各成形型２４は、それぞれ、前述の積層パターンＰＴに基づいて吸着部として５つの凹部２４ａ，２４ｂ，２４ｃ，２４ｄ，２４ｅを有している。すなわち、各凹部２４ａ，２４ｂ…２４ｅは、それぞれ前述の吸収性シート状部材１に係る各ＳＡＰ積層目標領域Ａａ，Ａｂ…Ａｅに対応しており、よって、各凹部２４ａ，２４ｂ…２４ｅの底面の形状は、それぞれ対応するＳＡＰ積層目標領域Ａａ，Ａｂ…Ａｅと略同形状に設定されている。また、各凹部２４ａ，２４ｂ…２４ｅの底部は、ＣＤ方向に関して略水平に形成されており、更に各底部には多数の吸気孔２６が形成されている。
【００５１】
かかる回転ドラム２２は、図１に示すように連続的に回転し、これにより、その外周面２２ａは所定の円周経路Ｔｒ２２に沿って連続して移動する。この円周経路Ｔｒ２２の所定位置Ｐ５には、表面ウエブ５の供給位置Ｐ５が設定されており、当該供給位置Ｐ５では、外周面２２ａに向けて表面ウエブ５が供給され、所定の巻き付き角度θで巻き付けられる。そして、同表面ウエブ５は外周面２２ａと略一体となって搬送される。また、この表面ウエブ５が巻き付き状態の回転ドラム２２の外周面２２ａに向けては、ＳＡＰ供給装置３０からＳＡＰが落下供給され、更にこれと同時並行で、外周面２２ａの各凹部２４ａ，２４ｂ…２４ｅの吸気孔２６が、ＳＡＰの通過を規制しながら吸気し、これにより、各凹部２４ａ，２４ｂ…２４ｅには、表面ウエブ５越しにＳＡＰが吸着・積層されて、吸収体３の各積層体３ａ，３ｂ…３ｅが形成される。
【００５２】
そうしたら、最後に、回転ドラム２２に巻き付き状態の表面ウエブ５に向けて裏面ウエブ７が供給されて、表面ウエブ５上に重ね合わされる。ここで、この合流前には、接着剤塗布装置３５により接着剤が裏面ウエブ７の片面の略全面に亘って塗布されている。よって、表面ウエブ５と裏面ウエブ７との間に吸収体３を挟み込んだ状態で、これらウエブ５，７同士は仮接合される。そして、この仮接合状態で搬送方向に連続した連続体として、吸収性シート状部材１は、ヒートシール装置４０へ送られる。
【００５３】
ヒートシール装置４０は、例えば上下一対のロール４２，４４を有し、これらロール４２，４４は、ＣＤ方向を向いた水平軸Ｃ４２，Ｃ４４を回転中心として、吸収性シート状部材１の搬送速度と同じ周速で搬送方向に沿って回転する。また、少なくともどちらか一方のロール４２，４４は、溶着に必要な温度まで外周面が加熱された加熱ロールである。更には、これらロール４２，４４のうちの一方のロールたる下ロール４４の外周面には、吸収性シート状部材１の吸収体３たる５つの各積層体３ａ，３ｂ…３ｅに対応させて、５つの凹部（不図示）が形成されている。各凹部は、ＣＤ方向及び下ロール４４の周方向の両方向に関して、それぞれ、対応するＳＡＰ積層目標領域Ａａ，Ａｂ…Ａｅよりも若干大きいサイズに形成されている。よって、吸収性シート状部材１が、上下ロール４２，４４同士の間のロール間隙Ｇ４０を通過する際には、吸収性シート状部材１における各積層体３ａ，３ｂ…３ｅの封入部ＥＮＣ（図２Ａ及び図２Ｂ）は、それぞれ対応する凹部に入り込み、これにより、ロール間隙Ｇ４０においては、下ロール４４の各凹部の周囲部分と上ロール４２の外周面４２ａとによって、吸収性シート状部材１における積層体不在部分Ｎ（図２Ａ及び図２Ｂ）が選択的に熱溶着され、これにより表面ウエブ５と裏面ウエブ７とが本接合される。そして、この本接合された吸収性シート状部材１は、搬送方向に連続した状態で、検査装置５０へ送られる。
【００５４】
＜＜＜吸収性シート部材１の検査装置５０について＞＞＞
図１に示すように検査装置５０はヒートシール装置４０の下流側に配置されている。本発明は、この配置に限定されず、検査装置５０はヒートシール装置４０の上流に配置されても良いが、この配置よりは図１の配置の方が好ましい。そして、この検査装置５０では、吸収性シート状部材１の吸収体３毎に、ＳＡＰが積層パターンＰＴできちんと積層されているか否かを検査する。つまり、吸収性シート状部材１の各吸収体３につき、ＳＡＰが存在すべき領域たるＳＡＰ積層目標領域Ａａ，Ａｂ…Ａｅ（粒状物積層目標領域に相当）の略全域（所定域に相当）に亘り、規定の坪量以上でＳＡＰが存在しているか否かを検査する。例えば、ＳＡＰ積層目標領域Ａａ，Ａｂ…Ａｅにおいて実際に上述の坪量以上でＳＡＰが存在している領域の大きさが、計画値たる後述の良否判定用閾値よりも小さくなっていると判定した場合には、この吸収体３を具備する吸収性シート状部材１の単票状製品１Ｕに対して、不良品情報を付与するなど不良品であることを関連付けして、下工程での不良品の排出に供するようにする。
【００５５】
検査装置５０は、吸収性シート状部材１の搬送経路の所定位置に設けられた撮像処理部としてのカメラ５２と、同搬送経路上の撮像位置ＰＳを照らす照明部材５４，５４と、画像処理部５６と、を有する。
【００５６】
カメラ５２は、例えばＣＣＤ（電荷結合素子）カメラである。そして、吸収性シート状部材１の片面に対向して配置されており、これにより、吸収性シート状部材１の片面を撮像する。撮像動作は、同期信号に基づいてなされ、これにより、吸収性シート状部材１の片面のうちで吸収体３が存在すべき領域Ａ３を、その領域Ａ３の平面中心ＣＡ３がほぼ平面画像の平面中心ＣＰに揃うように撮像する（図５を参照）。詳しくは、同期信号は、例えば吸収性シート状部材１の単票状製品１Ｕ一つ分に相当する搬送量（つまり製品ピッチＰ１（図２Ａ））を単位搬送量として０°〜３６０°の各回転角度値を、搬送量に比例して割り当ててなる回転角度信号である。つまり、吸収性シート状部材１の単票状製品１Ｕ一つ分に相当する部分が搬送されると、０°から３６０°までの回転角度値が出力され、当該一つ分の搬送の都度、０°から３６０°までの回転角度値の出力が周期的に繰り返される。よって、上述のように領域Ａ３の平面中心ＣＡ３と平面画像の平面中心ＣＰとが一致するような撮像タイミングに対応した同期信号の位相を、所定の回転角度値として見つけ出し、その位相たる所定の回転角度値で撮像動作を行うように予め設定しておけば、以降に撮像位置ＰＳを通過する全ての吸収性シート状部材１の単票状製品１Ｕに相当する部分に対して、上述のように、吸収体３が存在すべき領域Ａ３の平面中心ＣＡ３と平面画像の平面中心ＣＰとが揃うように撮像することができる。
【００５７】
そして、このような撮像タイミングに調整されたカメラ５２は、吸収性シート状部材１の吸収体３毎に撮像し、撮像の都度、撮像された平面画像のデータを平面画像データとして生成する。そして、生成の都度、平面画像データを画像処理部５６へ送信する。すると、画像処理部５６では、平面画像データに基づいて、吸収性シート状部材１の吸収体３の良否判定を吸収体３毎、つまり吸収性シート状部材１の単票状製品１Ｕ毎に行う。これにより、単票状製品１Ｕは全数検査されることになる。但し、何等これに限るものではなく、例えば、吸収体３を幾つかおきに撮像しても良い。そして、その場合には吸収体３の幾つかおきに平面画像データが生成されるため、吸収体３も幾つかおきに良否判定され、つまり、単票状製品１Ｕも幾つかおきに抜き取り検査されることになる。なお、良否判定などの詳細については後述する。
【００５８】
照明部材５４は、例えば白色ＬＥＤライトや紫外線ライトなどの適宜なライトであり、その光源の種類は、その場の撮像状況に応じて適宜選定される。また、撮像の際に照明部材５４の光を透過光としてカメラ５２に受光させるのか、それとも反射光として受光させるのかといった受光条件についても、その場の撮像状況に応じて適宜決められる。なお、図１の例では、吸収性シート状部材１の片面に対してカメラ５２と同じ側に照明部材５４が配置されており、これにより、カメラ５２は、吸収性シート状部材１の片面からの反射光を受光するようになっている。
【００５９】
画像処理部５６は、適宜なコンピュータを本体とし、プロセッサとメモリとを有する。そして、メモリに予め格納された二値化処理プログラム等の各種処理プログラムをプロセッサが読み出して実行することにより、二値化処理などの種々の処理を行う。
【００６０】
画像処理部５６では、送信された平面画像データに対して二値化処理することにより、平面画像のうちで、規定の坪量以上のＳＡＰが撮像されている領域を、ＳＡＰ適量領域として抽出する。以下では、これを「抽出処理」と言う。そして、抽出されたＳＡＰ適量領域の面積を、規定の良否判定用閾値と大小比較して、吸収体３の良否判定を行う。以下では、これを「良否判定処理」と言う。ちなみに、ＳＡＰ適量領域が、請求項の「適量領域」に相当し、また、ＳＡＰ適量領域の面積が、請求項の「適量領域の大きさを示す値」に相当する。
【００６１】
なお、抽出処理を実行するためのプログラム及び良否判定処理を実行するためのプログラムは、予めメモリ内に格納されている。そして、プロセッサが、これらを読み出して実行することにより、画像処理部５６は、抽出処理を実行する「抽出処理部」及び良否判定処理を実行する「良否判定処理部」として機能する。以下、これら抽出処理及び良否判定処理について詳しく説明する。
【００６２】
先ず、抽出処理の説明の前に、平面画像及び平面画像データについて説明する。図５はこの平面画像の説明図である。
【００６３】
平面画像は、例えばＣＤ方向をＸ方向とし、搬送方向をＹ方向として撮像される。また、平面画像は、吸収体３が具備する５つの積層体３ａ〜３ｅを一画像として撮像したものであり、つまり、吸収体３を囲む矩形輪郭のフレームＦＬの内側が、撮像範囲として撮像されている。なお、撮像範囲を理解し易くする目的で、同図５中には、仮想的に吸収性シート状部材１の単票状製品１Ｕを二点鎖線で示している。また、同図５中には、仮想的にＳＡＰ積層目標領域Ａａ〜Ａｅも点線で示している。更に、図５中では、説明の都合上、積層体３ａ〜３ｅが表面に露出しているように示しているが、実際には、積層体３ａ〜３ｅは裏面ウエブ７により覆われていて、同積層体３ａ〜３ｅは裏面ウエブ７越しに透けて見える状態にある。これについては後述の図６Ａ、図７Ａ、及び図７Ｂも同じである。
【００６４】
撮像された平面画像は、Ｘ方向及びＹ方向の両方向にそれぞれ所定の解像度に基づく所定ピッチで格子状に並ぶ多数の画素の集合体である。換言すると、平面画像は、Ｘ方向に一直線に所定ピッチで並ぶ複数の画素からなる画素列が、Ｙ方向に複数列所定ピッチで並んで構成される。そして、平面画像データは、各画素に対応させてそれぞれ色情報を有している。例えば、平面画像データがグレースケールの場合には、画素毎に色情報として明度のみを有している。そして、その場合、図１の例のような反射光を受光する構成にあっては、ＳＡＰが存在している領域に対応する各画素は明るくなるので、その画素の明度は高い値になっているが、他方、ＳＡＰが存在していない領域に対応する各画素は暗くなるので、その画素の明度は低い値になっている。また、ＳＡＰが存在している領域に対応する画素であっても、ＳＡＰの坪量（ｇ／ｍ２）の大小に応じて画素の明度は変化する。つまり、ＳＡＰの坪量（ｇ／ｍ２）が小さい部分に対応する画素の明度よりも、ＳＡＰの坪量が大きい部分に対応する画素の明度の方が高くなる。よって、後述するように、明度が所定値以上の画素に着目することで、ＳＡＰが規定の坪量以上で積層している部分を撮像してなる画素を抽出することができる。なお、以下では、平面画像データがグレースケールのデータであるものとして説明する。
【００６５】
図６Ａ及び図６Ｂは、抽出処理の説明図である。図６Ａには、二値化処理前の平面画像を示し、図６Ｂには、同平面画像に対して二値化処理を行った後の状態、つまりＳＡＰ適量領域を抽出後の状態を示している。なお、図６Ａ及び図６Ｂ中には、点線でＳＡＰ積層目標領域Ａａ〜Ａｅを仮想的に示し、また、図６Ａ中では、平面画像上においてＳＡＰが積層しているように撮像されている領域をドット模様で示し、また、同領域のなかで、規定の坪量以上のＳＡＰが撮像されている領域を斜線模様で示している。
【００６６】
二値化処理では、予め定められた抽出用閾値を用いる。そして、この抽出用閾値以上の明度の画素を例えば白に割り振り、他方、抽出用閾値未満の明度の画素を例えば黒に割り振る。これを、平面画像データの全ての画素について行い、これにより、図６Ａに斜線模様で示すＳＡＰ適量領域、つまり規定の坪量以上のＳＡＰが撮像されている領域が、図６Ｂに白塗りで示すように多数の白の画素からなる領域として抽出される。
【００６７】
ここで、上述の抽出用閾値は、メモリ内に予め格納された固定値である。そして、ＳＡＰが撮像されている領域のなかでも、特に規定の坪量以上のＳＡＰが撮像されている領域の画素を確実に白に割り振れるようにすべく、この抽出用閾値は、例えば次のような製造ラインでの実験的手法により求められる。先ず、上記規定の坪量でＳＡＰが積層されている吸収性シート状部材１のサンプルを何枚か用意する。次に、これらサンプルを検査装置５０の上記ＣＣＤカメラ５２で撮像してサンプル毎に明度を求める。これら全てのサンプルの明度の平均値を算出し、当該平均値として上記抽出用閾値が求められる。なお、より確実に、規定の坪量以上の撮像領域の画素を白に割り振れるようにすべく、上述の方法で得られた明度の平均値の値よりも所定の安全係数分だけ大きな値を、上記抽出用閾値として設定しても良い。そうすれば、良否判定の際に、より安全側の判定を下すことができる。
【００６８】
但し、この抽出用閾値を求める手法は、何等これに限らず、以下のようにして求めても良い。先ず、複数水準で坪量（ｇ／ｍ２）を異ならせた吸収性シート状部材１のサンプルを用意し、これらサンプルを上記ＣＣＤカメラ５２で撮像して、サンプル毎に明度を求める。そして、得られた明度と坪量とのデータをグラフにプロットして、明度と坪量との関係のグラフを作成し、このグラフから、上記規定の坪量に対応する明度の値を読み取り、これにより、上述の抽出用閾値を取得する。ちなみに、規定の坪量の具体値としては、例えば１００〜５００（ｇ／ｍ２）のなかの任意値が挙げられる。
【００６９】
そうしたら、画像処理部５６は、良否判定処理へ移行する。そして、この良否判定処理では、先ず、平面画像上でのＳＡＰ適量領域の面積を求める。ここで、画素の平面サイズは、ＸＹ方向の各解像度などに基づいて予めわかっている。よって、この画素の平面サイズに、ＳＡＰ適量領域として抽出された画素の数たる画素数を乗算することにより、ＳＡＰ適量領域の面積が算出される。
【００７０】
次に、画像処理部５６は、算出されたＳＡＰ適量領域の面積を、予めメモリに格納された良否判定用閾値と大小比較する。そして、この良否判定用閾値以上の場合には、この平面画像に対応する吸収性シート状部材１の単票状製品１Ｕに良品情報を付与するが、逆に、良否判定用閾値未満の場合には、不良品情報を付与する。ちなみに、良否判定用閾値は、例えば次のようにして予め設定される。先ず、積層パターンＰＴが規定する５つのＳＡＰ積層目標領域Ａａ〜Ａｅの平面画像上での面積の合計値を求め、この合計値の５０％〜９９％の範囲のなかから任意値を選択して良否判定用閾値として設定する。
【００７１】
なお、場合によっては、上述の面積での良否判定に代えて、面積率又は画素数で良否判定をしても良い。ここで、面積率とは、ＳＡＰ適量領域の面積を前述の５つのＳＡＰ積層目標領域Ａａ〜Ａｅの面積の合計値で除算した値である。よって、この場合の良否判定用閾値としては、例えば０．５０〜０．９９の範囲のなかから任意値が選択される。そして、面積率を上記良否判定用閾値と大小比較して、その比較結果に基づいて、良品情報及び不良品情報のどちらかを吸収性シート状部材１に付与する。
【００７２】
一方、画素数で良否判定する場合には、画像処理部５６は、ＳＡＰ適量領域に属する画素数をカウントする。そして、このカウントされた画素数を、画素数で表現された良否判定用閾値と大小比較し、その比較結果に基づいて、良品情報及び不良品情報のどちらかを、この平面画像に対応する吸収性シート状部材１の単票状製品１Ｕに付与する。ちなみに、この場合の良否判定用閾値は、例えば次のようにして予め設定される。先ず、平面画像上において５つのＳＡＰ積層目標領域Ａａ〜Ａｅに属する画素の総和を求め、その総和の０．５０倍から０．９９倍までの数値範囲のなかから任意値を選択して良否判定用閾値として設定する。
【００７３】
ここで望ましくは、上述のような抽出処理及び良否判定処理を、ＳＡＰ積層目標領域Ａａ，Ａｂ…Ａｅ毎に行うと良い。そして、このようにすれば、各ＳＡＰ積層目標領域Ａａ，Ａｂ…Ａｅに対してそれぞれ良否判定を行うことができるので、部分的な積層状態の偏りの有無を、最終的な吸収体３の良否判定に反映させることができて、より正確な検査結果情報を得ることができる。また、各ＳＡＰ積層目標領域Ａａ，Ａｂ…Ａｅのうちの何れかの良否判定結果が不良判定の場合に、回転ドラム装置２０の成形型２４の５つの凹部２４ａ〜２４ｅのうちの何れの凹部が異常なのかを即座に認識できるので、整備対象を容易に絞り込むことができて、整備の作業効率の向上を図ることができる。以下、詳しく説明する。
【００７４】
図７Ａに、撮像された平面画像のイメージ図を示す。この例では、画像処理部５６は、抽出処理の際に検査ウインドウＷａ，Ｗｂ，Ｗｃ，Ｗｄ，Ｗｅを用いる。検査ウインドウＷａ〜Ｗｅは、平面画像において参照する領域を区画して限定するツールであり、つまり、抽出処理の際には、検査ウインドウＷａ〜Ｗｅ内に属する画素のみを参照し、検査ウインドウＷａ〜Ｗｅ外の画素については参照しないようにすることができる。
【００７５】
なお、このような検査ウインドウＷａ〜Ｗｅ内に限った画素の参照は、例えば次のようにして実現される。先ず、平面画像の各画素には、ＸＹ座標が付与されていて、これらＸＹ座標はメモリに記録されている。また、画像処理部５６は、このＸＹ座標を指定することで、検査ウインドウＷａ〜Ｗｅ内に属する画素の色情報にアクセスすることができる。よって、検査ウインドウＷａ〜Ｗｅ内に位置すべき画素のＸＹ座標のデータを、予めメモリ内に記録しておけば、上述の検査ウインドウＷａ〜Ｗｅ内に限った画素の参照を実現可能となる。
【００７６】
このような検査ウインドウＷａ，Ｗｂ…Ｗｅは、各ＳＡＰ積層目標領域Ａａ，Ａｂ…Ａｅに対してそれぞれ用意されている。この例では、吸収体３は５つのＳＡＰ積層目標領域Ａａ〜Ａｅを有しているため、これに対応させて検査ウインドウＷａ〜Ｗｅも５つ用意されている。また、各検査ウインドウＷａ，Ｗｂ…Ｗｅの輪郭形状は、それぞれ、対応するＳＡＰ積層目標領域Ａａ，Ａｂ…Ａｅの輪郭形状にならった形状たる略相似形状に設定さている。この例では、三つの各ＳＡＰ積層目標領域Ａａ，Ａｂ，Ａｃの輪郭形状がＶ字形状であるため、それぞれＶ字状の輪郭形状の検査ウインドウＷａ，Ｗｂ，Ｗｃが設定されている。他方、残りの二つのＳＡＰ積層目標領域Ａｄ，Ａｅは、Ｖ字形状の折れ曲がり部が取り除かれて幅方向に分断された形状であるため、それぞれ、そのような輪郭形状に検査ウインドウＷｄ，Ｗｅは設定されている。また、平面画像上の検査ウインドウＷａ，Ｗｂ…Ｗｅの平面サイズは、対応するＳＡＰ積層目標領域Ａａ，Ａｂ…Ａｅの画像を外側から囲えるように、対応するＳＡＰ積層目標領域Ａａ，Ａｂ…Ａｅの画像よりも若干大きいサイズに設定されている。
【００７７】
そして、かかる検査ウインドウＷａ〜Ｗｅを備えた構成によれば、抽出処理では、検査ウインドウＷａ，Ｗｂ…Ｗｅ毎にＳＡＰ適量領域が抽出され、これにより、検査ウインドウＷａ，Ｗｂ…Ｗｅ毎にＳＡＰ適量領域の面積が算出される。
【００７８】
そうしたら、次の良否判定処理では、検査ウインドウＷａ，Ｗｂ…Ｗｅ毎に予め設定された良否判定用閾値を用いて、検査ウインドウＷａ，Ｗｂ…Ｗｅ毎に良否判定結果を出す。
【００７９】
ここで、良否判定用閾値は、各検査ウインドウＷａ，Ｗｂ…Ｗｅに対応するＳＡＰ積層目標領域Ａａ，Ａｂ…Ａｅの平面画像上での面積であり、この例では、ＳＡＰ積層目標領域Ａａ〜Ａｅが５つ有るので、５つの良否判定用閾値を有している。よって、各検査ウインドウ内Ｗａ，Ｗｂ…Ｗｅにて抽出された各ＳＡＰ適量領域の面積を、その検査ウインドウＷａ，Ｗｂ…Ｗｅに対応付けられた良否判定用閾値と大小比較し、ＳＡＰ適量領域の面積が良否判定用閾値以上の場合には、そのＳＡＰ適量領域に、一次判定情報として仮の良品情報を付与する。一方、これとは逆に判定用閾値未満の場合には、一次判定情報として仮の不良品情報を付与する。そして、かかる良否判定処理を５つの全ての検査ウインドウＷａ，Ｗｂ…Ｗｅについて行い、最終的に、全てのＳＡＰ適量領域について仮の良品情報が付与されている場合には、この平面画像に対応する吸収性シート状部材１の単票状製品１Ｕに対し二次判定情報として良品情報を付与し、当該情報が、検査結果情報として下工程に送信される。一方、５つのＳＡＰ適量領域のうちで一つでも、仮の不良品情報が付与されている場合には、この平面画像に対応する吸収性シート状部材１の単票状製品１Ｕに対し二次判定情報として不良品情報を付与し、当該情報が、検査結果情報として下工程に送信される。
【００８０】
なお、上述の例では、５つの各ＳＡＰ積層目標領域Ａａ，Ａｂ…Ａｅに対して、それぞれ検査ウインドウＷａ，Ｗｂ…Ｗｅを設定していたが、何等これに限るものではない。ＳＡＰ積層目標領域の数に比べて異なる数の検査ウインドウが設けられても良い。例えば、幾つかのＳＡＰ積層目標領域Ａａ，Ａｂ，Ａｃに対してはＳＡＰ積層目標領域Ａａ，Ａｂ，Ａｃ毎に検査ウインドウＷａ，Ｗｂ，Ｗｃを設けるが、残る幾つかのＳＡＰ積層目標領域Ａｄ，Ａｅに対しては、これら幾つかのＳＡＰ積層目標領域Ａｄ，Ａｅを両方囲めるサイズの一つの検査ウインドウＷｆを設定しても良い。図７Ｂは、その一例の説明図である。この図７Ｂの例では、折れ曲がり部を有する各ＳＡＰ積層目標領域Ａａ，Ａｂ，Ａｃに対しては、ＳＡＰ積層目標領域Ａａ，Ａｂ，Ａｃ毎に個別に検査ウインドウＷａ，Ｗｂ，Ｗｃを設定しているが、折れ曲がり部を除去されてなる二つのＳＡＰ積層目標領域Ａｄ，Ａｅについては、これら両方の領域Ａｄ，Ａｅを包囲する一つのＶ字輪郭形状の検査ウインドウＷｆを設定している。そして、その場合、検査ウインドウＷｆでは、勿論、抽出処理を二つのＳＡＰ積層目標領域Ａｄ，Ａｅについて区別せずにまとめて行い、また、良否判定処理の際に用いる良否判定用閾値としては、二つのＳＡＰ積層目標領域Ａｄ，Ａｅの平面画像上の面積の合計値の５０％〜９９％の範囲のなかから任意値が選択されて用いられることになる。
【００８１】
ところで、上述の実施形態では、平面画像データの一例として、各画素の色情報が明度のみを有したグレースケールのデータを示したが、何等これに限るものではない。例えば、各画素の色情報が明度、色相、及び彩度を有したカラー画像データであっても良い。そして、その場合には、前述の抽出処理での二値化処理として、カラー二値化処理を行うこともできる。
【００８２】
カラー二値化処理とは、平面画像のカラー画像データから、特定の色情報を有する画素を抽出する処理のことである。ここで、色情報は、前述のように明度、色相、及び彩度の三要素をそれぞれ数値で有している。よって、明度、色相、及び彩度のそれぞれについて、抽出すべき画素の色情報の数値範囲を、抽出用閾値として画像処理部５６のメモリに予め設定しておけば、画像処理部５６は、その設定された色情報の画素を平面画像から抽出することができる。
【００８３】
すなわち、上述の抽出用閾値の三つの数値範囲を、平面画像のうちで規定の坪量以上のＳＡＰが撮像されている領域に固有な色に基づいて予め設定しておけば、画像処理部５６は、平面画像データに記録されている平面画像の各画素の色情報を参照し、そして、上述の抽出用閾値の三つの数値範囲を全て満たす画素を例えば白の画素に割り振り、満たさない画素を例えば黒の画素に割り振る。そして、この割り振り動作を、平面画像データの全ての画素について行い、これにより、ＳＡＰ適量領域が、白の画素の領域として抽出される。この方法によれば、上記固有な色に基づいてＳＡＰ適量領域を抽出するので、その抽出精度を高めることができる。なお、上述したこと以外の内容は、グレースケールを例に既述した内容と同じなので、その説明については省略する。
【００８４】
ちなみに、上述では、表面ウエブ５や裏面ウエブ７、接着剤、ＳＡＰの色について説明していなかったが、一般にこれらの色は白色である。但し、何等これに限るものではなく、例えば、表面ウエブ５、裏面ウエブ７、接着剤、及びＳＡＰの少なくとも何れかについては、白色以外の色に着色されていても良い。そして、その場合であっても、カラー二値化処理によれば、抽出用閾値たる上述の三つの数値範囲の設定により、平面画像からＳＡＰ適量領域を何等問題無く抽出することができる。
【００８５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８６】
上述の実施形態では、液体吸収性粒状物として高吸収性ポリマー（ＳＡＰ）を例示したが、膨潤などして吸収した液体を離さない性質を有する粒状物であれば、何等高吸収性ポリマーに限らない。
【００８７】
上述の実施形態では、吸収性シート状部材１として、表面ウエブ５と裏面ウエブ７との間に吸収体３を介在させたものを例示したが、何等これに限るものではなく、例えば、裏面ウエブ７を省略しても良い。つまり、吸収性シート状部材１を、表面ウエブ５と、表面ウエブ５の片面に積層パターンＰＴでＳＡＰを積層してなる吸収体３とで構成しても良い。
【００８８】
上述の実施形態では、二値化処理後の平面画像データに基づいて、図６Ｂの二値化処理後の平面画像を画面表示することについては述べていなかったが、そのように構成しても良いのは言うまでもない。すなわち、画像処理部５６は適宜な不図示のモニタを付属する。そして、二値化処理後の平面画像データ、つまり抽出用閾値により平面画像データに係る各画素を白又は黒に割り振って生成された平面画像データに基づいて図６Ｂの平面画像をモニタに表示し、これにより、製造ラインのオペレータの検査作業支援に供しても良い。
【００８９】
上述の実施形態では、図６Ａに示すように、検査ウインドウＷａ，Ｗｂ，Ｗｃの一例としてＶ字形状のものを例示したが、これは、対応するＳＡＰ積層目標領域Ａａ，Ａｂ，Ａｃの輪郭形状がＶ字形状であったためである。よって、ＳＡＰ積層目標領域の輪郭形状に応じて、対応する検査ウインドウの輪郭形状を変更しても良い。例えば、ＳＡＰ積層目標領域の輪郭形状が砂時計形状であれば、これにならって、この画像を外側から囲うべく平面画像上の検査ウインドウの輪郭形状を、ＳＡＰ積層目標領域の画像よりも若干大きい平面サイズの砂時計形状にしても良い。
【００９０】
上述の実施形態では、裏面ウエブ７にのみ接着剤を塗布していた。つまり裏面ウエブ７の両面のうちで表面ウエブ５に重ね合わされる方の面の略全域に亘って接着剤を塗布し、表面ウエブ５の方には接着剤を塗布していなかったが、何等これに限るものではない。例えば、裏面ウエブ７の代わりに表面ウエブ５の片面の略全域に亘って接着剤を塗布しても良いし、更には、裏面ウエブ７及び表面ウエブ５の各重ね合わされる面の略全域に亘って塗布しても良い。
【００９１】
上述の実施形態では、接着剤によって表面ウエブ５と裏面ウエブ７とを仮接合していたが、何等これに限るものではなく、表面ウエブ５及び裏面ウエブ７のどちらにも接着剤を塗布しなくても良い。この場合には、仮接合は行われずに、ヒートシール装置４０による本接合のみが行われることになる。
【００９２】
上述の実施形態では、平面画像データとしてグレースケールのデータを用いるとともに、抽出用閾値として明度を用いたが、何等これに限らない。例えば、平面画像データとしてはカラー画像データを用いても良く、その場合には、抽出用閾値として明度に代えて、色相或いは彩度を用いても良いし、明度と色相と彩度とのうちから二つを選択して抽出用閾値として用いても良い。
【符号の説明】
【００９３】
１  吸収性シート状部材、１Ｕ  単票状製品、
３  吸収体、
３ａ  積層体、３ｂ  積層体、３ｃ  積層体、３ｄ  積層体、３ｅ  積層体、
５  表面ウエブ（連続ウエブ）、７  裏面ウエブ（別の連続ウエブ）、
１０  製造装置、
２０  回転ドラム装置、２２  回転ドラム、２２ａ  外周面、
２４  成形型、
２４ａ  凹部、２４ｂ  凹部、２４ｃ  凹部、２４ｄ  凹部、２４ｅ  凹部、
２６  吸気孔、
３０  ＳＡＰ供給装置、３５  接着剤塗布装置、
４０  ヒートシール装置、４２  上ロール、４２ａ  外周面、４４  下ロール、
５０  検査装置、５２  カメラ（撮像処理部）、５４  照明部材、
５６  画像処理部（抽出処理部、良否判定処理部）、
ＳＡＰ  高吸収性ポリマー（液体吸収性粒状物）、
ＰＴ  積層パターン、
Ａａ  ＳＡＰ積層目標領域（粒状物積層目標領域）、
Ａｂ  ＳＡＰ積層目標領域（粒状物積層目標領域）、
Ａｃ  ＳＡＰ積層目標領域（粒状物積層目標領域）、
Ａｄ  ＳＡＰ積層目標領域（粒状物積層目標領域）、
Ａｅ  ＳＡＰ積層目標領域（粒状物積層目標領域）、
Ａ３  領域、ＣＡ３  平面中心、ＣＰ  平面中心
ＦＬ  フレーム、
Ｐ５  供給位置、ＰＳ  撮像位置、
Ｗａ  検査ウインドウ、Ｗｂ  検査ウインドウ、Ｗｃ  検査ウインドウ、
Ｗｄ  検査ウインドウ、Ｗｅ  検査ウインドウ、Ｗｆ  検査ウインドウ、
Ｎ  積層体不在部分、ＥＮＣ  封入部、
Ｇ４０  ロール間隙、
Ｃ２２  水平軸、Ｃ４２  水平軸、Ｃ４４  水平軸、
Ｔｒ２２  円周経路、
【図１】
2014525274.tif 000003
【図２】
2014525274.tif 000004
【図３】
2014525274.tif 000005
【図４】
2014525274.tif 000006
【図５】
2014525274.tif 000007
【図６】
2014525274.tif 000008
【図７】
2014525274.tif 000009
【国際調査報告】
2014525274.tif 000010